(57)【要約】【課題】本発明は、ノート型パソコン等の電子機器に装着して機能を拡張させるＰＣカードに関し、エクステンデッド部を有しているＰＣカードにおいて、更に、異種の小型メモリーカードも装着できるようにすることが課題である。      【解決手段】ＰＣカード本体においてその長手方向の後方側に機能拡張部であるエクステンデッド部６を設けて成るＰＣカードに、エクステンデッド部６の下に小型メモリーカードを装備する収納部５が設けられているＰＣカード１とする。【選択図】図１
2005327029.tif 000002
【特許請求の範囲】
【請求項１】
ＰＣカード本体においてその長手方向の後方側に機能拡張部であるエクステンデッド部を設けて成るＰＣカードであって、
前記エクステンデッド部の下に小型メモリーカードを装備する収納部が設けられていること、
を特徴とするＰＣカード。
【請求項２】
ＰＣカードにおける略矩形状筐体のフレームであって、該ＰＣカードの装着方向に沿った方向のフレームの側壁部分に、ＰＣカード本体側のプリント基板と前記エクステンデッド部のプリント基板とを電気的に接続するケーブルを挿通させるための凹溝を設けてあること、
を特徴とするＰＣカード用フレーム。
【請求項３】
凹溝の対向している両壁面には、ケーブルの弛みをとる千鳥配置の突起が突設されていること、
を特徴とする請求項２に記載のＰＣカード用フレーム。
【請求項４】
エクステンデッド部におけるプリント基板は、当該エクステンデッド部のフレームの基台とその基台からフレーム厚み方向に起立して湾曲して戻る逆Ｊ字型の係止片によって遊嵌して保持されると共に、該係止片の湾曲部がケーブルの余長部分を吸収する巻付け部となっていること、
を特徴とする請求項２に記載のＰＣカード用フレーム。
【発明の詳細な説明】
【技術分野】
【０００１】
本発明は、例えば、ノート型パーソナルコンピュータ（以下、パソコンと称する）の機能拡張スロットに装着されて使用されるメモリーカード用のＰＣカード及びその筐体であるフレームに関するものである。
【背景技術】
【０００２】
従来、例えば、携帯型のノートパソコン等の電子機器において、メモリー容量及び機能拡張のために、各種のメモリーカードが用意されるようになった。それを国際的に形状及びインターフェイスを規格化して、前記電子機器の拡張スロットに差し込んで使用するＰＣカード（ＰＣＭＣＩＡに準拠したスタンダード型）が知られている（特許文献１参照）。
【特許文献１】特開２０００−２９５８３号公報
【０００３】
しかし、従来のＰＣカードでは、無線ＬＡＮを構築するために、当該ＰＣカードの長手方向の後部にエクステンデッド部（機能拡張部）を設けて、ここに無線送受信装置や表示部等を設けたプリント基板等を配設しているが、更に、小型（少なくともＰＣカードのスタンダードより小さい）で厚みの異なるメモリーカード、例えば、コンパクトフラッシュ（登録商標）（Ｃｏｍｐａｃｔ  Ｆｌａｓｈ（登録商標））カードも装備させようとすると、ＰＣカードの長手方向の長さが長くなって、ノート型パソコン等の電子機器における拡張スロットに差し込んだ場合に、当該電子機器からの突出量が大きすぎてしまい、使用上の不都合となるので実現できていなかった。
【発明の開示】
【発明が解決しようとする課題】
【０００４】
従来のＰＣカードにおいて、エクステンデッド部がある場合にも、ＰＣカードとは異種の小型メモリーカードを装備して更に機能拡張をしようとする場合に、そのカード全体の長手方向の長さを長くせず、且つ、コンパクトに装備させることが課題である。
【課題を解決するための手段】
【０００５】
本発明に係るＰＣカード用フレームの要旨は、ＰＣカード本体においてその長手方向の後方側に機能拡張部であるエクステンデッド部を設けて成るＰＣカードであって、前記エクステンデッド部の下に小型メモリーカードを装備する収納部が設けられていることである。
【０００６】
また、本発明に係るＰＣカード用フレームの要旨は、ＰＣカードにおける略矩形状筐体のフレームであって、該ＰＣカードの装着方向に沿った方向のフレームの側壁部分に、ＰＣカード本体側のプリント基板と前記エクステンデッド部のプリント基板とを電気的に接続するケーブルを挿通させるための凹溝を設けてあることである。
【０００７】
更に、前記凹溝の対向している両壁面には、ケーブルの弛みをとる千鳥配置の突起が突設されていること、；
前記エクステンデッド部におけるプリント基板は、当該エクステンデッド部のフレームの基台とその基台からフレーム厚み方向に起立して湾曲して戻る逆Ｊ字型の係止片によって遊嵌して保持されると共に、該係止片の湾曲部がケーブルの余長部分を吸収する巻付け部となっていること、；
を含むものである。
【発明の効果】
【０００８】
本発明のＰＣカードは、ＰＣカード本体においてその長手方向の後方側に機能拡張部であるエクステンデッド部を設けて成るＰＣカードに、エクステンデッド部の下に小型メモリーカード（ＰＣカードよりも小さい）を装備する収納部が設けられているので、例えば、コンパクトフラッシュ（登録商標）カードも装着することが可能となり、多様な機能拡張が容易となる。更に、エクステンデッド部の下に収納部を配置することで、カード全体の長手方向の長さが抑えられて、拡張スロットに装着した際、ＰＣカードは、電子機器の表面から使用上の不都合とならない程度に突出するものとなる。
【０００９】
本発明のＰＣカード用フレームは、ＰＣカードの装着方向に沿った方向のフレームの側壁部分に、ＰＣカード本体側のプリント基板と前記エクステンデッド部のプリント基板とを電気的に接続するケーブルを挿通させるための凹溝を設けてあるので、形状が規格化されたＰＣカードに、更に、小型メモリーカードを追加することが可能となる。
【００１０】
また、前記凹溝の対向している両壁面には、ケーブルの弛みをとる千鳥配置の突起が突設されているので、ケーブルを弛み無く配線できてフレームにしっかりと取り付けられ、その後のフレームにカバーを取り付ける作業において、ケーブルが撓むことなく整理されていて邪魔にならず、作業能率が向上する。
【００１１】
更に、エクステンデッド部におけるプリント基板は、当該エクステンデッド部のフレームの基台とその基台からフレーム厚み方向に起立して湾曲して戻る逆Ｊ字型の係止片によって遊嵌して保持されると共に、該係止片の湾曲部がケーブルの余長部分を吸収する巻付け部となっているので、ケーブルの弛みを無くすことができる。
【発明を実施するための最良の形態】
【００１２】
本発明に係るＰＣカード１は、図１乃至図３に示すように、前方にパソコン側のＰＣＭＣＩＡ互換性雄コネクタに嵌合する雌コネクタ２を備え、カード中央部に前記雌コネクタ２のコンタクトピンが電気的に接続されるとともにスタンダードのメモリーカードを備えたプリント基板３を備え、その後に小型メモリーカード、例えば、コンパクトフラッシュ（登録商標）カード用の互換性雄コネクタ４及びその収納部５とを備え、当該収納部５の上に機能拡張部であるエクステンデッド部６を設けて成る。
【００１３】
前記エクステンデッド部６は、無線ＬＡＮ構築用のプリント基板が納められ、ＬＥＤなどの表示部も備えられている。これらのプリント基板や電子部品等は、図４乃至図６に示すように、ＰＣカード用で、全体が略矩形状の合成樹脂製フレーム７に支持され、且つ、図１に示す金属製の上下シェル８，９によってカバーされている。
【００１４】
前記シェル８，９の各裏面側には、所要箇所に、粘着テープなどの絶縁性の介在物を貼着する事により、プリント基板間に配線される給電配線の損傷を防止している。また、前記上下シェル８，９のいづれかの一端部でコンパクトフラッシュ（登録商標）カードとの接地（アース）をとるようにしており、コンパクトフラッシュ（登録商標）カードとＰＣカード（スタンダード）との間を同電位にしている
【００１５】
前記フレーム７においては、図４及び図７に示すように、ＰＣカード１の装着方向ａに沿った方向の当該フレーム７の側壁部分１０，１１に、ＰＣカード本体側のプリント基板３と前記エクステンデッド部６のプリント基板１３とを電気的に接続するケーブル１４を挿通させるための凹溝１５を設けてある。これは、ＰＣカード等の形状が規格化されて、その厚みも規制されているので、直接的に、空間部をフラットケーブル等で接続することができないからである。
【００１６】
また、前記収納部５においては、左右側壁側に、小型メモリーカードであるコンパクトフラッシュ（登録商標）カードを装着するためのガイド溝部１６が設けられている。収納部５の後端部は、小型メモリーカードを挿入できる程度の大きさにした開口部となっている。
【００１７】
このようにして、エクステンデッド部６の下に収納部５が設けられている。よって、図１（Ｂ）に示すように、このＰＣカード１をパソコンの拡張スロット１９に装着させた場合に、パソコン筐体部の外側に突出する長さが、使用上の不都合とならない程度の突出量に抑えられるものである。
【００１８】
図７に示すように、前記凹溝１５の対向している両壁面には、ケーブル１４の弛みを取る千鳥配置の突起１５ａ，１５ｂ，１５ｃが突設されている。このようにすることで、前記ケーブル１４が蛇行して凹溝１５に弛み無く納められるようになる。なお、この一実施例では、図４に示すように、フレーム７の上側に設けたが、場合によっては、下側に設ける事もある。更に、側壁部分１０，１１のいずれか一方に設ける場合もある。
【００１９】
前記エクステンデッド部６におけるＬＡＮ構築用の電子部品を備えたプリント基板１３は、当該エクステンデッド部のフレームの基台１７における矩形状の支持台１７ａと、その基台１７からフレーム厚み方向に起立して湾曲して戻る逆Ｊ字型の係止片１８によって遊嵌して保持される。
【００２０】
前記係止片１８の湾曲部１８ａ若しくは起立部は、図８に示すように、前記凹溝１５の後端部から上がって引き回される前記ケーブル１４を適宜に巻き付け、その余長部分１４ａを吸収する巻付け部となっている。これにより、プリント基板３、１３間のケーブル１４をフレーム７に装着する際に、前記湾曲部１８ａに巻き付けて、その余長部分１４ａを調節することができて、すっきりとした配線状態にすることができる。
【図面の簡単な説明】
【００２１】
【図１】本発明に係るＰＣカード１の、平面図（Ａ）と、側面図（Ｂ）と、背面図（Ｃ）とである。
【図２】同本発明のＰＣカード１の正面図である。
【図３】同ＰＣカード１の底面図（Ａ）と、側面図（Ｂ）とである。
【図４】同ＰＣカード１のフレーム７の平面図（Ａ）と、正面図（Ｂ）とである。
【図５】同ＰＣカード１のフレーム７の背面図（Ａ）と、側面図（Ｂ）とである。
【図６】同フレーム７の側面図である。
【図７】同フレーム７の一部の拡大詳細平面図である。
【図８】同フレーム７のエクステンデッド部６における一部拡大正面図である。
【符号の説明】
【００２２】
１          ＰＣカード、
２          雌コネクタ、
３          プリント基板、
４          互換性雄コネクタ、
５          収納部、
６          エクステンデッド部、
７          フレーム、
８          シェル、
９          シェル、
１０        側壁部分、
１１        側壁部分、
１３        プリント基板、      
１４        ケーブル、        １４ａ                        余長部分、
１５        凹溝、            １５ａ，１５ｂ，１５ｃ        突起、
１６        ガイド部、
１７        基台、            １７ａ                        支持台、
１８        係止片、          １８ａ                        湾曲部、
１９        拡張スロット。
【図１】
2005327029.tif 000003
【図２】
2005327029.tif 000004
【図３】
2005327029.tif 000005
【図４】
2005327029.tif 000006
【図５】
2005327029.tif 000007
【図６】
2005327029.tif 000008
【図７】
2005327029.tif 000009
【図８】
2005327029.tif 000010